(57)【特許請求の範囲】
【請求項１】
光透過性材料よりなる板状の複数の導光体と、前記複数の導光体の各々の側方に配設される複数の発光体と、該複数の導光体を一体に組み付けるための枠体と、を備えた遊技機の表示装置であって、
前記複数の導光体の各々の表面もしくは裏面に、前記側方に配設される発光体から離れるにつれて次第に深くなる複数の溝が形成されることにより図柄が表示される加工領域と、複数の溝が形成されていない非加工領域とが構成され、
前記枠体には、前記複数の導光体のうち、互いに隣接する少なくとも２つの導光体の間を仕切る仕切壁が一体状に設けられると共に、該枠体により前記加工領域と前記非加工領域とが区画され、
さらに、前記複数の導光体の下方には、微細な凹凸が形成されたバックレンズが配設されると共に、該バックレンズの下方に複数のバックレンズ照明用ランプが配設されていることを特徴とする遊技機の表示装置。
【発明の詳細な説明】
【０００１】
【発明の属する技術分野】
この発明は、例えば、パチンコ機（スロット機、雀球機、アレンジボール機等も含む）のような遊技機の表示装置に関し、特に、発光態様を変化させて演出効果を高めたり、複数種類の図柄を表示して大当り報知等を行う遊技機の表示装置に関する。
【０００２】
【従来の技術】
従来、遊技の進行状況に応じて発光態様を変化させる遊技機の表示装置として、例えば特開２０００−３４２７５７号公報に開示された遊技機の表示装置が知られている。特開２０００−３４２７５７号公報に開示された遊技機の表示装置によれば、パチンコ機等の遊技機の盤面上に、アクリル樹脂等の光透過性材料よりなる表示体と、表示体の内部に光を供給するＬＥＤ等からなる発光源とが配設される。表示体の表面には紙ヤスリによって微細な凹凸面が形成されており、表示体の内部に供給された光は、前記凹凸面において拡散され、拡散された光が遊技者に向けて放たれることで表示装置として機能する。
【０００３】
しかしながら、上述した遊技機における表示装置では、表示装置全体がコンパクトに構成されるという効果を奏するものの、遊技者に向けて放たれる光にムラが生じる場合があり問題であった。すなわち、発光源から発せられた光は、導光体の内部を通過するにつれて次第に減衰し、この減衰する光が発光源に近い側から順に凹凸面に到達するので、拡散した光の強度が均一とならずムラが生じるという問題があった。
【０００４】
【発明が解決しようとする課題】
本発明はこのような問題点に鑑みて創案されたものであり、遊技者に向けてムラなく光を放つことで、遊技者に図柄等を見やすく表示することのできる遊技機の表示装置を提供することを課題とする。
【０００５】
【課題を解決するための手段】
上記した課題を解決するために、特許請求の範囲の請求項１に記載の発明が構成される。
【０００６】
請求項１に記載の遊技機の表示装置は、光透過性材料よりなる板状の複数の導光体と、前記複数の導光体の各々の側方に配設される複数の発光体と、該複数の導光体を一体に組み付けるための枠体と、を備えている。前記発光体より発せられる光は、前記導光体の側部より内部に供給され、前記導光体の表面もしくは裏面に形成された複数の溝で屈折することにより遊技者に向けて光が放たれる。ここで、「光透過性材料」としては、内部に光を透過させることのできる材料、例えば、透明なポリカーボネートや透明なアクリル等の合成樹脂材料、透明な無機ガラス、透明な有機ガラス等が用いられる。しかし、必ずしも完全に透明である必要はなく、着色されて半透明な合成樹脂材料、あるいは、一定の濁度を有し散乱を伴ないながら光を透過させる材料等であってもよい。光透過性材料により構成される「導光体」は、発光体より発せられた光を加工領域にまで導く役割を持つ板状の部材である。また、この導光体の「表面」とあるのは、遊技者に光を放ち図柄等を表示するための表面、すなわち、遊技を行っている遊技者に向かい合う側の面（遊技者が見る側の面）のことを指している。この導光体の「裏面」とあるのは、前記した「表面」に対して反対側となる面のことを指しており、さらに、この導光体の「側部」とあるのは、導光体を表面もしくは裏面側から見たときに、その板状の導光体の外周に相当する部分の「側部」ことを指している。「発光体」は、通電等により光を放つ機器や素子、例えばランプや発光ダイオード（ＬＥＤ）等により構成される。
【０００７】
請求項１に記載の遊技機の表示装置によれば、光を屈折させる「複数の溝」が、発光体から離れるにつれて次第に深くなる複数の溝により構成される。ここで、「次第に深くなる複数の溝」とあるのは、発光体からより遠くにある溝の方が、より近くにある溝よりも表面に対して深く形成されることを意味している。この場合の「溝」は、断面形状が略Ｖ字型の溝や、断面形状が略Ｕ字型の溝等が考えられるが、導光体の内部に取り込まれた光を遊技者に向けて放つことができる適当な屈折角に設定可能な溝であれば、その他どのような断面形状を有する「溝」であってもよい。これにより、導光体の側部から内部に供給された光は、導光体内部を複数の溝に向けて進行し、この複数の溝のうち、発光体に近い側（導光体の側部に近い側）の「浅い」溝から順に到達する。そして、一部の光は「浅い」溝により前方に向けて屈折させられる。その他の光は、より遠くに位置する「深い」溝により前方に向けて屈折させられる。つまり、導光体の内部を進行する光は、次第に深く形成された複数の溝により次々と捕捉されて前方に向けて屈折させられるので、たとえ光が進行するにつれて徐々に減衰するような場合であっても、加工領域のほぼ全領域においてほぼ均一の強度で光を放つことができる。光が前方に向けて均一の強度で放たれると、遊技演出に関連した図柄等を遊技者にムラなく表示できる効果が達成される。また、導光体は板状に形成されているので、その表面もしくは裏面に対して複数の溝を容易に形成することができる。
【０００８】
また、請求項１に記載の遊技機の表示装置は、複数の導光体と、前記複数の導光体のそれぞれの側方に配設される複数の発光体とを備えている。複数の導光体の表面もしくは裏面には、複数の溝が形成された加工領域と、複数の溝が形成されていない非加工領域とが構成され、前記加工領域により図柄が表示される。ここで、「加工領域」とあるのは、板状に形成された導光体の表面もしくは裏面のうち、複数の溝が形成された領域、すなわち、複数の溝により光が屈折する領域のことを指している。また、「非加工領域」とは、複数の溝が形成されていないその他の領域、すなわち、複数の溝により光が屈折しない領域のことを指している。そして、この「加工領域」で光が屈折することにより、この「加工領域」に対応した形状の図柄が前方に向けて表示され、加えて、加工領域と非加工領域との相対的な明るさの相違によって、前記図柄はくっきりと前方に向けて表示されることになる。例えば、複数の導光体及び発光体によりいわゆる７セグメント表示器を構成すれば、「０」〜「９」までの数字図柄を加工領域によってくっきりと表示することができる。これにより、例えばパチンコ遊技の抽選結果に応じて「大当り」等を報知する場合に、この「大当り」を報知するための「７，７，７」等の大当り図柄配列を遊技者に見やすく表示することができる。なお、本発明における「図柄」には、パチンコ機等で表示される特別図柄のみならず、遊技機における遊技に関連して盤面上に表示されることのある全ての図柄（英数字、漢字、仮名等の文字、記号、絵柄、図形、静止画等）が含まれる。
【０００９】
また、請求項１に記載の遊技機の表示装置によれば、複数の導光体が枠体で一体に組み付けられる。前記枠体には、複数の導光体のうち、互いに隣接する少なくとも２つの導光体の間を仕切る仕切壁が一体状に設けられる。これにより、互いに隣接する導光体同士間の光の干渉が防止されるので、遊技に関連した図柄等を遊技者によりくっきりと表示することができる。また、仕切壁は枠体に対して一体状に設けられるので、複数の導光体を枠体で組み付ける際に、同時に仕切壁をも組み付けることができる。これにより、複数の導光体を枠体で組み付ける際の作業の手間が軽減される。
【００１０】
また、請求項１に記載の遊技機の表示装置によれば、加工領域と非加工領域とが枠体によって区画される。これにより、加工領域と非加工領域との境界をはっきりと認識させることが可能であり、加工領域に対応した形状の図柄を遊技者等に向けてより見やすく表示することができる。さらに、前記複数の導光体の下方には、微細な凹凸が形成されたバックレンズが配設されると共に、該バックレンズの下方に複数のバックレンズ照明用ランプが配設されているので、複数の導光体によって表示される各図柄が、均一に拡散された柔らかい光により裏面側から照らし出されるという装飾的効果を得ることができる。
【００１１】
【発明の実施の形態】
以下、本発明の実施の形態を図面に基づいて説明する。本実施の形態は遊技機の一つであるパチンコ機に対し本発明を適用したものである。
【００１２】
まず、本実施の形態に係るパチンコ機の概略構成について説明する。遊技機としてのパチンコ機、例えば、第１種パチンコ機の遊技盤を正面（前面）で表した図１において、遊技盤１０の前面の周縁部には、外レール１２と内レール１３とを備えた案内レール１１が装着されている。この案内レール１１の内側には、遊技領域１５が区画形成されるとともに、外レール１２と内レール１３との間には、図示しない球発射装置から発射された遊技球（パチンコ球）を遊技領域１５の上部に案内する球発射通路１４が形成されている。遊技盤１０の遊技領域１５には、その略中央部に位置して図柄表示装置１が装着されている。図柄表示装置１の下方には、３つの通過ゲート２１及び第１種始動口２６が配設されている。第１種始動口２６には、可変入球口２２ａを大小に変化させる一対の開閉部材２２が組み付けられている。これら一対の開閉部材２２は、モータ、ソレノイド等の電動アクチュエータを駆動源とし開閉動作されるようになっている。また、この第１種始動口２６の内部には、その可変入球口２２ａに流入した遊技球を検出して球検出信号を主制御装置に対して出力する球検出器（図示しない）が設けられている。
【００１３】
また、図１に示すように、遊技盤１０の遊技領域１５には、第１種始動口２６の直下に位置して大入賞口６２とその大入賞口６２を開閉する開閉扉６１を備えた大入賞口装置６０が装着されている。大入賞口６２の下方には、遊技領域１５の最下端に位置してアウト口６５が形成されている。大入賞口６２の左方及び右方には、遊技球の流入を検出して所定数の賞球を払出しする普通入賞口２０が２つずつ（合計４つ）装着されている。これら４つの普通入賞口２０の内部にも、流入した遊技球を検出して主制御装置に球検出信号を出力する球検出器がそれぞれに設けられている。その他、遊技盤１０の遊技領域１５には、遊技球を所定方向に誘導したり、あるいは遊技球の流れを変化させる多数の釘や風車器２５が適宜に配設されている。
【００１４】
次に、遊技盤１０の略中央部に配設された図柄表示装置１の構成について詳細に説明する。図１に示すように、図柄表示装置１は３つの表示部を主体として構成されており、図１に向かって左側に位置する第１の表示部２ａと、中央に位置する第２の表示部２ｂと、右側に位置する第３の表示部２ｃとを備えている。第１〜第３の表示部２ａ，２ｂ，２ｃは、それぞれが「０」から「９」までの特別図柄（抽選図柄という場合もある）を可変表示可能な７セグメント表示器として構成されており、この３つの表示部２ａ〜２ｃにより表示される３桁の特別図柄の態様によって、遊技者に対して「大当り」等の抽選結果が報知されるようになっている。例えば、遊技球が第１種始動口２６に流入した際に行なわれる抽選の結果が「大当り」である場合には、第１〜第３の表示部２ａ，２ｂ，２ｃによって３桁の数字がゾロ目で表示されることにより（例えば、「７，７，７」、「３，３，３」等が表示されることにより）、遊技者に対して抽選結果である「大当り」が報知されるようになっている。反対に、抽選の結果が「はずれ」である場合には、第１〜第３の表示部２ａ，２ｂ，２ｃによって３桁の数字がゾロ目以外の態様で表示されることにより（例えば、「７，７，６」、「３，３，２」等が表示されることにより）、遊技者に抽選結果である「はずれ」が報知されるようになっている。遊技球が第１種始動口２６に流入した際の抽選処理は、後述する主制御装置によって乱数が取得され、この取得した乱数が予め定められた所定の乱数であるか等が判断されることにより行なわれる。このようなパチンコ機における抽選処理自体は公知の技術であるので、更に詳細な説明は省略する。
【００１５】
図２は、第１の表示部２ａを拡大して表した正面図であり、図３は、図２における第１の表示部２ａのＡ−Ａ線断面図である。図２及び図３に示すように、第１の表示部２ａは、透明なポリカーボネイト樹脂により平板状に形成された７枚の導光体３ａ〜３ｇと、その７枚の導光体３ａ〜３ｇのそれぞれの側方に配設される複数の発光体４ａ〜４ｇを備えて構成されている。７枚の導光体３ａ〜３ｇのそれぞれの表面には、加工領域９ａ〜９ｇが形成されており、発光体４ａ〜４ｇから発せられた光は導光体３ａ〜３ｇの内部に供給され、この導光体３ａ〜３ｇの表面に形成された加工領域９ａ〜９ｇにおいて前方（遊技盤１０から見た前方）に向けて屈折させられる。これにより、遊技盤１０の前に着座した遊技者等に向けて、加工領域９ａ〜９ｇに対応した形状の光が放たれるようになっている。
【００１６】
第１の表示部２ａでは、７枚の導光体３ａ〜３ｇの表面に形成された加工領域９ａ〜９ｇから、それぞれ独立に光が放たれる。つまり、導光体３ａ〜３ｇに光を供給するための発光体４ａ〜４ｇは、それぞれ独立した点灯動作が可能となるように構成されている。これにより、第１の表示部２ａはいわゆる７セグメント表示器として機能するようになっており、「０」〜「９」までの特別図柄を任意に切換えて可変表示することができるようになっている。
【００１７】
図３に示すように、７枚の導光体３ａ〜３ｇは、ハウジング部材５によって外周側の縁部が支持されている。ハウジング部材５は、剛性を有するプラスチックにより中空状に形成されており、その内部には、導光体３ａ〜３ｇに光を供給するための発光体４ａ〜４ｇや、発光体４ａ〜４ｇに通電するための電気配線等（図示していない）が収納されている。発光体４ａ〜４ｇは、少ない消費電力で任意に点灯・消灯が可能な発光ダイオード（ＬＥＤ）により構成されている。発光体４ａ〜４ｇを構成する発光ダイオードは、赤色、緑色、青色等どの光を発する発光ダイオードであってもよく、これら三原色の光を干渉させることで任意の色の光を発することができるような複数の発光ダイオードで構成されてもよい。発光体４ａ〜４ｇから発せられた光は、ハウジング部材５によって遮られるので、遊技者からは直接的に視認されないようになっている。
【００１８】
図４は、導光体３ｅの表面に形成された加工領域９ｅを拡大して表した断面図である。図４に示すように、導光体３ｅに光を供給する発光体４ｅは、導光体３ｅの側部３０ｅに近接した位置に配設されている。発光体４ｅから発せられた光は、この導光体３ｅの側部３０ｅから内部に侵入し、ポリカーボネイトにより構成された導光体３ｅの内部を進行して加工領域９ｅにまで到達する。加工領域９ｅは、断面形状が略Ｖ字型に形成された５本の溝３１ａ〜３１ｅにより構成されており、加工領域９ｅに到達した光はこれらの溝３１ａ〜３１ｅにぶつかることで上方（図４に向かって上方）に向けて屈折する。
【００１９】
図５は、加工領域９ｅを構成する５本の溝３１ａ〜３１ｅの深さの大小関係を示す説明図である。図５に示すように、加工領域９ｅを構成する５本の溝３１ａ〜３１ｅは、側部３０ｅから最も近くに位置する溝３１ａから、側部３０ｅから最も遠くに位置する溝３１ｅにかけて次第に深くなるようにその寸法が設定されている。言い換えると、発光体４ｅから最も近くに位置する溝３１ａから、発光体４ｅから最も遠くに位置する溝３１ｅにかけて次第に深くなるようにその寸法が設定されている。ここで、「次第に深くなるようにその寸法が設定されている」とあるのは、より遠くにある溝の方が、より近くにある溝よりも表面に対して深く形成されることを意味している。図５を参照しながら更に詳しく説明すると、側部３０ｅから最も近くにある溝３１ａの深さを深さＨａとし、側部３０ｅから２番目に近くにある溝３１ｂの深さを深さＨｂとし、側部３０ｅから３番目に近くにある溝３１ｃの深さを深さＨｃとし、側部３０ｅから４番目に近くにある溝３１ｄの深さを深さＨｄとし、側部３０ｅから最も遠くにある溝３１ｅの深さを深さＨｅとした場合において、これらの深さＨａ〜Ｈｄの大小関係は、以下の（１）式に示す通りとなっている。
Ｈａ＜ Ｈｂ＜ Ｈｃ＜ Ｈｄ＜ Ｈｅ …（１）
【００２０】
加工領域９ｅを構成する５本の溝３１ａ〜３１ｅの深さＨａ〜Ｈｅが、（１）式のような関係に設定されることにより、以下に説明する効果が達成される。すなわち、図４に示すように、導光体３ｅの側部３０ｅから内部に侵入した発光体４ｅの光は、導光体３ｅの内部を加工領域９ｅに向けて進行し、この加工領域９ｅを構成する５本の溝３１ａ〜３１ｅのうち、導光体３ｅの側部３０ｅに最も近い溝３１ａに到達する。そして、発光体４ｅから発せられた光の一部は、この最も「浅い」溝である溝３１ａにぶつかることにより上方に向けて屈折する。発光体４ｅから発せられた光のうち、溝３１ａにぶつからなかった他の光は、導光体３ｅの内部をさらに進行し、溝３１ａよりもさらに遠くにある溝３１ｂに到達する。そして、一部の光は溝３１ｂにぶつかることにより上方に向けて屈折し、他の光は導光体３ｅの内部をさらに進行する。さらに進行した光は、次に溝３１ｃに到達し、一部の光は溝３１ｃにぶつかることにより上方に向けて屈折し、他の光は導光体３ｅの内部をさらに進行する。これ以降の溝３１ｄ及び溝３１ｅについても同様であり、導光体３ｅの内部を進行する光は、５本の溝３１ａ〜３１ｅにより次々と捕捉されて上方に向けて屈折させられる。５本の溝３１ａ〜３１ｅは次第に深くなるように形成されているので、例えば側部３０ｅに一番近い溝３１ａによって、光の大部分が一度に上方に向けて屈折してしまうといったことがない。つまり、加工領域９ｅのほぼ全領域にわたって光を上方に向けて屈折させることが可能であり、深さＨａ〜Ｈｅを（１）式の条件を満たす範囲で適当な寸法に設定すれば、５本の溝３１ａ〜３１ｅのすべてからほぼ均一の強度で光を上方に向けて屈折させることができる。また、光が導光体３ｅの内部を進行するにつれて徐々に減衰するような場合であっても、深さＨａ〜Ｈｅを（１）式の条件を満たす範囲で適当な寸法に設定すれば、５本の溝３１ａ〜３１ｅのすべてからほぼ均一の強度で光を上方に向けて屈折させることができる。これにより、遊技の抽選結果である「大当り」等を報知するための「０」〜「９」の特別図柄を、遊技者に対してムラなく綺麗に表示できるという効果が達成される。
【００２１】
なお、上記の説明では、５本の溝３１ａ〜３１ｅの断面形状が略Ｖ字型に形成された例を示したが、その他にも、導光体３ｅの内部に取り込まれた光を上方向けて放つことができる適当な角度に設定可能であれば、例えば断面形状が略Ｕ字型に溝３１ａ〜３１ｅが構成されてもよいし、その他の断面形状によって溝３１ａ〜３１ｅが構成されてもよい。
【００２２】
また、上記の説明では、５本の溝３１ａ〜３１ｅが導光体３ｅの表面側に形成された例を示したが、その他にも、光を上方向に向けて屈折させることができるのであれば、導光体３ｅの裏面側に溝３１ａ〜３１ｅが形成された場合であっても同様な作用等を達成させることができる。ただし、この場合には、溝３１ａ〜３１ｅにぶつかった光が上方向に屈折するように、導光体３ｅが有する屈折率等を適宜変更して調整する必要がある。
【００２３】
導光体３ｅの表面のうち、複数の溝３１ａ〜３１ｅが形成されていない平滑な部分である非加工領域３３ｅ（図４参照）においては、導光体３ｅの空気に対する屈折率及び光の入射角との関係により、光の大部分が内部に向けて反射される状態となっている（すなわち、ほぼ「全反射」の状態となっている）。これにより、導光体３ｅの内部から光が漏れ出すことが防止されており、加工領域９ｅに比べて非加工領域３３ｅが「暗い」状態となって遊技者に視認されることになる。つまり、加工領域９ｅと、非加工領域３３ｅとの相対的な明るさの相違によって、遊技者に対して「０」〜「９」の特別図柄がよりくっきりと鮮明に表示される。なお、非加工領域３３ｅにおいて、導光体３ｅの内部から光が漏れ出すのをさらに防止するために、例えば、非加工領域３３ｅに白色の塗料を塗布したり、あるいは、非加工領域３３ｅに鏡を配設して光の大部分を内部に向けて反射させるようにしてもよい。
【００２４】
図３に示すように、７枚の導光体３ａ〜３ｇの下方（図３に向かって下方）には、ポリカーボネイト樹脂により平板状に形成されたバックレンズ７が配設されている。このバックレンズ７のさらに下方には、発光ダイオードにより構成された複数のバックレンズ照明用ライト８が上面側に向けて配設されている。バックレンズ７の表面には紙ヤスリによって微細な凹凸が形成されており、複数のバックレンズ照明用ライト８から発せられた光は、このバックレンズ７の表面に形成された微細な凹凸によってほぼ均一に拡散されるようになっている。これにより、７枚の導光体３ａ〜３ｇによって表示される「０」〜「９」までの特別図柄が、均一に拡散された柔らかい光により裏面側から照らし出されるという装飾的効果を得ることができる。
【００２５】
図６は、７枚の導光体３ａ〜３ｇの上面側から、熱溶着によって枠体６を接合する際の様子を示した斜視図である。図６に示すように、７枚の導光体３ａ〜３ｇは、上面側から枠体６が接合されることによって一体状に組み付けられる。枠体６は、剛性を有するプラスチックにより「８」の数字を形取って形成されており、７枚の導光体３ａ〜３ｇを一体状に組み付ける役割を果たすとともに、複数の溝が形成された加工領域９ａ〜９ｇと、複数の溝が形成されていない平滑な部分である非加工領域３３ａ〜３３ｇとの境界をそれぞれ区画することによって、「０」〜「９」までの特別図柄を見やすく表示するための装飾部材としての役割をも果たしている。枠体６は熱溶着以外の接合手段によって接合されてもよく、例えば、プラスチック用の接着剤によって導光体３ａ〜３ｇの上面側に接合されてもよい。
【００２６】
図７は、枠体６によって組み付けられる７枚の導光体３ａ〜３ｇのうち、互いに隣接して組み付けられる導光体３ａ及び導光体３ｂの隣接部分を拡大して表した斜視図である。また、図８は、図７における導光体３ａ，３ｂ及び枠体６のＢ−Ｂ線断面図である。図７及び図８に示すように、枠体６の下面側には、２枚の導光体３ａ，３ｂの間を仕切るための仕切壁３４が突設される。仕切壁３４は、熱可塑性合成樹脂により枠体６が射出成形されるのと同時に一体成形されるものであり、２枚の導光体３ａ，３ｂの隣接部分を全長にわたって仕切ることができるように長尺の板状に形成される。このように、互いに隣接する２枚の導光体３ａ，３ｂの間が、仕切壁３４によって仕切られることにより、以下に説明する効果が達成される。すなわち、２枚の導光体３ａ，３ｂの隣接部３５ａ，３５ａからは、導光体の内部を通過する光の一部が全反射せずに漏れ出す場合がある。この隣接部３５ａ、３５ｂから漏れ出す光が仕切壁３４によって遮断されることにより、２枚の導光体３ａ、３ｂ間での光の干渉が防止される。これにより、例えば導光体３ａの内部に供給される発光体４ａからの光が赤色の光であり、導光体３ｂの内部に供給される発光体４ｂからの光が青色の光であるような場合であっても、これらの光が違いに干渉し合うことにより図柄が鮮明に表示されなかったり、あるいは、所望とする色を鮮明に表示することができないといった不具合が有効に防止される。仕切壁３４は、導光体から漏れ出す光を確実に遮断できるように、例えば不透明なプラスチック材料で形成されるのが好ましい。
【００２７】
なお、上記の説明では、隣り合う２枚の導光体が、導光体３ａ及び導光体３ｂである例を示したが、その他の隣り合う２枚の導光体の間にも、枠体６に一体状に設けられた平板状の仕切壁が挿入される。これにより、第１の表示部２ａを構成するすべての導光体３ａ〜３ｇの間での光の干渉が防止されるので、「０」〜「９」までの特別図柄を全体的に鮮明に表示することができる。
【００２８】
また、図７及び図８に示すように、仕切壁３４は枠体６に対して一体状に設けられているので（分離せずに設けられているので）、２枚の導光体３ａ，３ｂを枠体６によって組み付ける際に、仕切壁３４をもそれら２枚の導光体３ａ，３ｂの間に同時に挿入することができる。仕切壁３４を別個の作業で挿入する必要がないので、複数の導光体を枠体６で組み付ける作業の手間が軽減される。なお、枠体６は、加工領域９ｅと非加工領域３３ｅの表面を区画するもので、枠体６によりそれらの境界がはっきりし、「０」〜「９」の特別図柄がより見やすく表示される。
【００２９】
以上の説明では、図柄表示装置１を構成する３つの表示部のうち、第１の表示部２ａを例にとってその構造や機能を詳細に説明したが、その他の表示部である第２の表示部２ｂ及び第３の表示部２ｃについても、その構造や機能は以上の説明とほぼ同様である。よって、これらの表示部についての詳細な説明は省略する。
【００３０】
次に、上述のように構成されるパチンコ機によるパチンコ遊技について説明する。まず、図示しない球発射装置から球発射通路１４に発射された遊技球（パチンコ球）は、遊技領域１５の上部に打ち出され、多数の釘や風車器２５等に当たって遊技領域１５の下部に向けて流れる。遊技領域１５に打ち出された遊技球のうち、一部の遊技球は普通入賞口２０、第１種始動口２６等の入球口に流入する。また、これら入球口に流入しなかった遊技球は、遊技領域１５の最下部のアウト口６５に流入して機外に排出される。
【００３１】
普通入賞口２０や、第１種始動口２６等には、それぞれの流入口に流入する遊技球を検出する球検出器が設けられており、これらの球検出器は、パチンコ機の主制御装置（図示しない）に電気的に接続されている。この主制御装置は主制御基板とも呼ばれるものであり、ＣＰＵ、ＲＡＭ、ＲＯＭ等の制御処理に必要な部品を基板上に一体に備えて構成される。そして、普通入賞口２０や第１種始動口２６に備えられた球検出器によって遊技球の流入が検出されると、その球検出信号は主制御装置にそれぞれ伝達される。そして、これらに対応して主制御装置から出力される信号により、各種のモータ、ソレノイド等が作動され、可変入球口２２ａを大小に開閉する一対の開閉部材２２の開閉動作が行われたり、あるいは、大入賞口装置６０の開閉扉６１の開閉動作が行われたりするようになっている。また、主制御装置は、図柄表示装置１にも接続されており、図柄表示装置１に対して必要な表示制御信号を随時送信できるように構成されている。
【００３２】
遊技球が第１種始動口２６の可変入球口２２ａに入球し、球検出器による検出信号が主制御装置に伝達されると、主制御装置による抽選処理が行われる。具体的には、まず、主制御装置に備えられたＣＰＵによって乱数発生のためのプログラムが実行され、発生した乱数がＲＡＭに一時的に記憶される。この乱数は、可変入球口２２ａへの入球に対する抽選結果が「大当り」であるか否かを判定するための大当り判定用乱数であって、この大当り判定用乱数が所定の数であるか否かによって「大当り」であるか否かの判定が行われる。乱数を発生したり、発生した乱数によって「大当り」を判定するためのプログラムは、予め主制御装置備えられたＲＯＭに記憶されており、このＲＯＭに記憶されたプログラムがＣＰＵによって読み込まれた後に必要に応じて実行されるようになっている。
【００３３】
また、遊技球が第１種始動口２６の可変入球口２２ａに入球し、球検出器による検出信号が主制御装置に伝達されると、主制御装置による抽選処理が行われるのと略同時に、図柄表示装置１によって「０」〜「９」までの特別図柄が可変表示される。そして、主制御装置による抽選結果が「大当り」である場合には、図柄表示装置１に「大当り図柄配列」が停止表示され、遊技者に「大当り」であることが報知される。「大当り図柄配列」とは、遊技者に「大当り」を認識させるための表示態様であって、例えば、３桁の数字が「７，７，７」や「３，３，３」等のゾロ目となる表示態様のことである。本実施の形態では、図柄表示装置１を構成する３つの表示部２ａ，２ｂ，２ｃのすべてに同種類の特別図柄が停止表示されることによって、遊技者に対して「大当り」であることが報知されるようになっている。
【００３４】
また、主制御装置による抽選結果が「大当り」以外の「はずれ」である場合には、図柄表示装置１によって大当り図柄配列以外の図柄配列、例えば、「７，７，６」や「３，３，２」等のゾロ目以外のはずれ図柄配列が停止表示され、これによって遊技者に「はずれ」であることが報知される。
【００３５】
主制御装置による抽選結果が「大当り」であることが確定した場合には、開閉扉６１を開くための信号が主制御装置から大入賞口装置６０に出力される。開閉扉６１が開放されて大入賞口６２へ遊技球が流入すると、所定数の賞球の払出しが行われる。大入賞口６２に遊技球が最大で１０個流入するか、あるいは、３０秒経過すると、開閉扉６１によって大入賞口６２が閉じられ、ここで大当り遊技の１ラウンドが終了する。開閉扉６１によって大入賞口６２が一旦閉じられた後、第１種始動口２６に遊技球が流入すると、開閉扉６１によって大入賞口６２が再び開かれて、次のラウンドが開始される。このように大当り遊技が最大で１６ラウンド行われて、大当り遊技処理が終了する。
【００３６】
なお、この発明は前記実施の形態に限定するものではない。例えば、上記実施の形態においては、第１種パチンコ機の図柄表示装置１として本発明が適用された例を示したが、第２種パチンコ機や第３種パチンコ機の図柄表示装置に対しても本発明を適用することができる。また、パチンコ機に限らず、その他の遊技機（例えばスロットマシン，アレンジボール機，雀球遊技機，テレビゲーム機等）の図柄表示装置に対しても本発明を適用することができる。
【００３７】
上記実施の形態では、図柄表示装置１が第１〜第３の表示部２ａ、２ｂ、２ｃで構成される場合を例示したが、このような態様に限定するものではない。例えば、図柄表示装置１が、１つあるいは２つの表示部や、４つ以上の表示部で構成された場合であっても本発明を適用できる。
【００３８】
また、上記実施の形態では、第１〜第３の表示部２ａ、２ｂ、２ｃが７セグメント表示器として構成される例を示したが、このような態様に限定するものではない。本発明は、図柄表示装置以外の表示装置にも適用することができる。遊技者に向けて光を放つ表示装置であれば、例えば、単に光を発することで装飾効果や演出効果を高めたり、あるいは、不正行為に対する警告としての光を発するような表示装置等に対しても本発明を適用することができる。
【００３９】
【発明の効果】
以上説明したように、本発明によれば、遊技者に向けてムラなく光を放つことで、遊技者に図柄等を見やすく表示することのできる、遊技機の表示装置を提供することができる。
【図面の簡単な説明】
【図１】実施の形態におけるパチンコ機の外観を示す正面図である。
【図２】第１の表示部を拡大して表した正面図である。
【図３】図２における第１の表示部のＡ−Ａ線断面図である。
【図４】導光体の表面に形成された加工領域を拡大して表した断面図である。
【図５】加工領域を構成する５本の溝の深さの大小関係を示す説明図である。
【図６】７枚の導光体の上面側から、熱溶着によって枠体を接合する際の様子を示した斜視図である。
【図７】枠体によって組み付けられる７枚の導光体のうち、互いに隣接して組み付けられる２枚の導光体の隣接部分を拡大して表した斜視図である。
【図８】図７における２枚の導光体及び枠体のＢ−Ｂ線断面図である。
【符号の説明】
１…図柄表示装置
２ａ…第１の表示部
２ｂ…第２の表示部
２ｃ…第３の表示部
３ａ，３ｂ，３ｃ，３ｄ，３ｅ，３ｆ，３ｇ…導光体
４ａ，４ｂ，４ｃ，４ｄ，４ｅ，４ｆ，４ｇ…発光体
５…ハウジング部材
６…枠体
７…バックレンズ
８…バックレンズ照明用ライト
９ａ，９ｂ，９ｃ，９ｄ，９ｅ，９ｆ，９ｇ…加工領域
３０ｅ…側部
３１ａ，３１ｂ，３１ｃ，３１ｄ，３１ｅ…溝
３３ａ，３３ｂ，３３ｃ，３３ｄ，３３ｅ，３３ｆ，３３ｇ…非加工領域
３４…仕切壁
【図１】
0004203585.tif 000002
【図２】
0004203585.tif 000003
【図３】
0004203585.tif 000004
【図４】
0004203585.tif 000005
【図５】
0004203585.tif 000006
【図６】
0004203585.tif 000007
【図７】
0004203585.tif 000008
【図８】
0004203585.tif 000009